(57)【要約】【課題】  Ｈｉ−ＭＤと旧来のＭＤとの両タイプに対応可能にして、ユーザービリティが向上できるディスク記録再生装置を提供すること。【解決手段】  最終トラックを除くトラックに音楽コンテンツを第１の変調方式であるＥＦＭ変調で記録すると共に、リードイントラックにＵ−ＴＯＣ情報を該第１の変調方式で記録し、第２記録手段で、最終トラックに第２の変調方式である１７ＰＰ変調で音楽コンテンツや画像コンテンツなどの各種コンテンツを記録する。【選択図】        図２
2007026510.tif 000002
【特許請求の範囲】
【請求項１】
音楽コンテンツをディスクに記録可能及び再生可能なディスク記録再生装置であって、
最終トラックを除くトラックに前記音楽コンテンツを第１の変調方式で記録すると共に、リードイントラックにヘッダ情報を該第１の変調方式で記録する第１記録手段と、
前記最終トラックにＦＡＴ管理可能な第２の変調方式で前記音楽コンテンツや画像コンテンツなどの各種コンテンツを記録する第２記録手段と
を有することを特徴とするディスク記録再生装置。
【請求項２】
前記第１の変調方式で記録された前記トラック数に応じて、前記最終トラックを漸次繰り下げるトラック繰り下げ手段を有していることを特徴とする請求項１記載のディスク記録再生装置。
【請求項３】
前記ディスクの全記録領域に対し、前記第１の変調方式による記録領域と、前記第２の変調方式による記録領域とに分割設定するパーテーション手段を有していることを特徴とする請求項１または２記載のディスク記録再生装置。
【請求項４】
前記第１の変調方式で記録された前記トラックを、前記ヘッダ情報に記録する登録手段を有していることを特徴とする請求項１〜３の何れか１項記載のディスク記録再生装置。
【請求項５】
前記第１の変調方式による記録を行うか、前記第２の変調方式による記録を行うかを選択させる選択手段を有することを特徴とする請求項１〜４の何れか１項記載のディスク記録再生装置。
【請求項６】
前記第１の変調方式は、ＥＦＭ変調であると共に、前記第２の変調方式は、１７ＰＰ変調であることを特徴とする請求項１〜５の何れか１項記載のディスク記録再生装置。
【請求項７】
音楽コンテンツをディスクに記録し、記録した該音楽コンテンツを再生するディスク記録再生方法であって、
最終トラックを除くトラックに前記音楽コンテンツを第１の変調方式で記録すると共に、リードイントラックにヘッダ情報を該第１の変調方式で記録する第１記録行程と、
前記最終トラックにＦＡＴ管理可能な第２の変調方式で前記音楽コンテンツや画像コンテンツなどの各種コンテンツを記録する第２記録行程と
を有することを特徴とするディスク記録再生方法。
【請求項８】
前記第１の変調方式で記録された前記トラック数に応じて、前記最終トラックを漸次繰り下げるトラック繰り下げ行程を有していることを特徴とする請求項７記載のディスク記録再生方法。
【請求項９】
前記ディスクの全記録領域に対し、前記第１の変調方式による記録領域と、前記第２の変調方式による記録領域とに分割設定するパーテーション行程を有していることを特徴とする請求項７または８記載のディスク記録再生方法。
【請求項１０】
前記第１の変調方式で記録された前記トラックを、前記ヘッダ情報に記録する登録行程を有していることを特徴とする請求項７〜９の何れか１項記載のディスク記録再生方法。
【請求項１１】
前記第１の変調方式による記録を行うか、前記第２の変調方式による記録を行うかを選択させる選択行程を有することを特徴とする請求項７〜１０の何れか１項記載のディスク記録再生方法。
【請求項１２】
前記第１の変調方式は、ＥＦＭ変調であると共に、前記第２の変調方式は、１７ＰＰ変調であることを特徴とする請求項７〜１１の何れか１項記載のディスク記録再生方法。
【発明の詳細な説明】
【技術分野】
【０００１】
本発明は、音楽コンテンツや画像コンテンツなどの各種コンテンツをディスクに記録可能及び再生可能なディスク記録再生装置とディスク記録再生方法に関する。
【背景技術】
【０００２】
従来、音楽コンテンツを磁気ディスクに記録可能及び再生可能なディスク記録再生装置として、ＭＤを用いたディスク記録再生装置がある。
このディスク記録再生装置に用いられるＭＤは、リードイントラックに、絶対曲番や曲数、演奏時間、プレイリストなどを管理するＵ−ＴＯＣ情報と呼ばれるヘッダ情報が記録され、そのヘッダ情報に続いてトラック番号１を初めとした複数のトラックに音楽コンテンツが記録されるようになっており、ＥＦＭ変調による記録方式になっている。
【０００３】
このＥＦＭ変調によるＭＤに代わるものとして、昨今、１７ＰＰ変調を用いたＨｉ−ＭＤと呼ばれる高密度記録可能なタイプが提案されている。
このＨｉ−ＭＤは、現行のＭＤに対し、次の手順で初期化を行っている。先ず、ＵＩＤがディスク上に記録されているか否か確認し、次にＥＦＭ変調でＵ−ＴＯＣが記録され、Ｕ−ＴＯＣにより、アラートトラック及びＦＡＴが確保され、次にアラートトラックがＥＦＭ変調で記録される。次に、１７ＰＰ変調でＤＤＴが記録され、固有情報であるＵＩＤが記録される。そして、１７ＰＰ変調でＦＡＴが記録される。
【０００４】
このＨｉ−ＭＤは、ＦＡＴでデータが管理されるようになっているため、パーソナルコンピュータとの親和性が高いものになっている。ＦＡＴ管理外の領域にＵＩＤが記録されるので、ＵＩＤを著作権保護のために利用可能である。
【０００５】
さらに、Ｕ−ＴＯＣとアラートトラックがＥＦＭ変調で記録されるので、現行ＭＤシステムで再生すると、アラートトラックに記録されたデータに基づいて、フォーマットが異なる旨の警告データが発するようになっている（例えば特許文献１参照）。
【０００６】
このように、Ｈｉ−ＭＤは、Ｕ−ＴＯＣ情報とアラートを旧来のＭＤの記録方式であるＥＦＭ変調で記録しておき、コンテンツを記録する部分に１７ＰＰ変調を用いＦＡＴ管理することで、ＭＰ３等の各種圧縮形式の音楽データが利用できるようになっており、仮に旧来のＭＤ専用の再生装置で再生しようとすると、例えば、「このディスクは再生できません」等の表示警告や音声警告等のアラートを発するようになっている。
【０００７】
【特許文献１】特開２００４−８７０８４（第１頁、図１８）
【発明の開示】
【発明が解決しようとする課題】
【０００８】
ところで、例えば、自動車に用いている自動車搭載用のＭＤ再生装置と、部屋で用いているＭＤ再生装置のように、１人のユーザーが複数のＭＤ再生装置を用いていることは往々にしてあるが、この場合、旧来のＭＤタイプと、新たなＨｉ−ＭＤタイプとが混在する場合も当然あり得る。
【０００９】
しかしながら、磁気ディスクとしては同じものでありながら、記録方式が全く異なっているため、Ｈｉ−ＭＤ再生装置で一旦フォーマットされたＨｉ−ＭＤは、旧来のＭＤ専用の再生装置では音楽コンテンツを再生することができないため、極めて利便性に欠けていた。
【００１０】
そこで本発明は、このような状況に鑑みてなされたものであり、上記問題点を解決できるディスク記録再生装置及びディスク記録再生方法を提供することを目的とする。
【課題を解決するための手段】
【００１１】
上記技術課題を達成するために、本発明にかかるディスク記録再生装置及びディスク記録再生方法は、下記の技術的手段を講じた。
すなわち、請求項１にかかるディスク記録再生装置は、音楽コンテンツをディスクに記録可能及び再生可能なディスク記録再生装置であって、最終トラックを除くトラックに前記音楽コンテンツを第１の変調方式で記録すると共に、リードイントラックにヘッダ情報を該第１の変調方式で記録する第１記録手段と、前記最終トラックにＦＡＴ管理可能な第２の変調方式で前記音楽コンテンツや画像コンテンツなどの各種コンテンツを記録する第２記録手段とを有することを特徴とする。
請求項２にかかるディスク記録再生装置は、請求項１において、前記第１の変調方式で記録された前記トラック数に応じて、前記最終トラックを漸次繰り下げるトラック繰り下げ手段を有していることを特徴とする。
請求項３にかかるディスク記録再生装置は、請求項１または２において、前記ディスクの全記録領域に対し、前記第１の変調方式による記録領域と、前記第２の変調方式による記録領域とに分割設定するパーテーション手段を有していることを特徴とする。
請求項４にかかるディスク記録再生装置は、請求項１〜３の何れかにおいて、前記第１の変調方式で記録された前記トラックを、前記ヘッダ情報に記録する登録手段を有していることを特徴とする。
請求項５にかかるディスク記録再生装置は、請求項１〜４の何れかにおいて、前記第１の変調方式による記録を行うか、前記第２の変調方式による記録を行うかを選択させる選択手段を有することを特徴とする。
請求項６にかかるディスク記録再生装置は、請求項１〜５の何れかにおいて、前記第１の変調方式は、ＥＦＭ変調であると共に、前記第２の変調方式は、１７ＰＰ変調であることを特徴とする。
請求項７にかかるディスク記録再生方法は、音楽コンテンツをディスクに記録し、記録した該音楽コンテンツを再生するディスク記録再生方法であって、最終トラックを除くトラックに前記音楽コンテンツを第１の変調方式で記録すると共に、リードイントラックにヘッダ情報を該第１の変調方式で記録する第１記録行程と、前記最終トラックにＦＡＴ管理可能な第２の変調方式で前記音楽コンテンツや画像コンテンツなどの各種コンテンツを記録する第２記録行程とを有することを特徴とする。
請求項８にかかるディスク記録再生方法は、請求項７において、前記第１の変調方式で記録された前記トラック数に応じて、前記最終トラックを漸次繰り下げるトラック繰り下げ行程を有していることを特徴とする。
請求項９にかかるディスク記録再生方法は、請求項７または８において、前記ディスクの全記録領域に対し、前記第１の変調方式による記録領域と、前記第２の変調方式による記録領域とに分割設定するパーテーション行程を有していることを特徴とする。
請求項１０にかかるディスク記録再生方法は、請求項７〜９の何れかにおいて、前記第１の変調方式で記録された前記トラックを、前記ヘッダ情報に記録する登録行程を有していることを特徴とする。
請求項１１にかかるディスク記録再生方法は、請求項７〜１０の何れかにおいて、前記第１の変調方式による記録を行うか、前記第２の変調方式による記録を行うかを選択させる選択行程を有することを特徴とする。
請求項１２にかかるディスク記録再生方法は、請求項７〜１１の何れかにおいて、前記第１の変調方式は、ＥＦＭ変調であると共に、前記第２の変調方式は、１７ＰＰ変調であることを特徴とする。
【発明の効果】
【００１２】
本発明によれば、第１記録手段で、最終トラックを除くトラックに前記音楽コンテンツを第１の変調方式で記録し、リードイントラックにヘッダ情報を該第１の変調方式で記録し、第２記録手段で、最終トラックにＦＡＴ管理可能な第２の変調方式で音楽コンテンツや画像コンテンツなどの各種コンテンツを記録するから、例えば、Ｈｉ−ＭＤと旧来のＭＤを混在することができ、したがって、ユーザービリティを向上することができる。
【発明を実施するための最良の形態】
【００１３】
次に、本発明にかかるディスク記録再生装置の実施の形態を説明する。
本実施の形態にかかるディスク記録再生装置は、ＭＤを用いるディスク記録再生装置に適用されたものが例示されており、図１に示すように、制御部１と、表示部２と、入力部３と、ディスク録再部４とを備えて構成されている。
【００１４】
制御部１は、パーテーション手段と、選択手段と、第１記録手段と、第２記録手段と、トラック繰り下げ手段と、登録手段とを備え、ＲＯＭ内に格納された制御プログラムに基づいて、各部を制御するようになっている。
【００１５】
パーテーション手段は、現行のＭＤ（磁気ディスク）に対し初期化を行うことにより、ＭＤの全記録領域に対し、第１の変調方式であるＥＦＭ変調による記録領域と、第２の変調方式である１７ＰＰ変調による記録領域（最終トラック）とに、所望の記録領域でもって分割設定されるようになっている。
【００１６】
このＭＤの初期化は、当該ディスク記録再生装置にＭＤを装填し、パーソナルコンピュータに初期化用のソフトウェアをインストールし、当該ディスク記録再生装置とパーソナルコンピュータとをＵＳＢ等で繋ぎ、パーソナルコンピュータ側で初期化を命令するように構成したり、当該ディスク記録再生装置に初期化モードを設けて後述する入力部３の操作で初期化するようにしても良い。
【００１７】
選択手段は、上記したパーテーション手段によって初期化済みのＭＤに対し、第１の変調方式であるＥＦＭ変調による記録を行うか、第２の変調方式である１７ＰＰ変調による記録を行うかを選択させるようになっている。この場合、具体的には、後述する表示部２に、ＭＰ３やリニアＰＣＭ、標準（現行のＭＤフォーマット）等の具体的な記録形式や、高密度記録（１７ＰＰ変調）や標準記録（ＥＦＭ変調）等の記録形式を選択可能に表示させ、入力部３の操作により、結果的に変調方式を選択できるようになっており、ユーザーは、変調方式の違いを意識せずに行えるようになっている。
【００１８】
第１記録手段は、上記した選択手段によってＥＦＭ変調による記録が選択された場合、最終トラックを除くトラックに、所望の音楽コンテンツをＥＦＭ変調で記録すると共に、リードイントラックにトラック番号や曲数、演奏時間、プレイリストなどを管理するＵ−ＴＯＣ情報と呼ばれるヘッダ情報をＥＦＭ変調で記録するようになっている。
また、記録する曲数に応じて上記したトラック番号は増えていくため、トラック番号等を管理するヘッダ情報は、第１記録手段による記録が行われる度、漸次更新されるようになっている。
【００１９】
第２記録手段は、上記した選択手段によって１７ＰＰ変調による記録が選択された場合、最終トラックにＦＡＴ管理可能な１７ＰＰ変調で所望の音楽コンテンツや、デジタルカメラ機能を備えた場合、画像コンテンツなどの各種コンテンツを記録するようになっている。
また、当該ディスク記録再生装置とパーソナルコンピュータとをＵＳＢ等で繋ぎ、パーソナルコンピュータ側に記録された音楽コンテンツを、この最終トラックに移動、またはコピーできるようになっている。
【００２０】
トラック繰り下げ手段は、ＥＦＭ変調方式で記録されたトラック数に応じて、前記最終トラックを漸次繰り下げるようになっている。すなわち、ＥＦＭ変調方式で記録されたトラック数が２である場合、１７ＰＰ変調による記録領域のトラック番号は、最終トラックである３となり、ＥＦＭ変調方式でさらに２曲記録した場合、ＥＦＭ変調方式で記録されたトラック数は４となり、１７ＰＰ変調による記録領域のトラック番号は、最終トラックである５となる。
【００２１】
登録手段は、ＥＦＭ変調方式で記録されたトラックを、音楽トラックとしてヘッダ情報に記録し１７ＰＰ変調による記録されたトラックはデータトラックとしてヘッダ情報へ記録するようになっている。すなわち、ＥＦＭ変調方式で記録されたトラック数が例えば３である場合、当該ＭＤにはトラック番号３までの曲しか音楽トラックが記録されていないようにする。このようにすることで、旧タイプのＭＤ再生装置で当該ＭＤを再生する際、１７ＰＰ変調による記録領域のトラック番号（最終トラック）であるトラック番号４を再生しないようになっている。
【００２２】
表示部２は、液晶パネルからなり、上記した録音形式を選択可能表示させたり、各種情報が表示されるようになっている。
入力部３は、再生や録音に関する操作釦や、上記した録音形式を選択する際の入力釦などからなる。
【００２３】
ディスク録再部４は、当該ＭＤを所定の回転速度で回転させ、ピックアップにて当該ＭＤに記録された音楽情報やＴＯＣ情報などを読み出したり、上記したＥＦＭ変調や１７ＰＰ変調による所定の情報を、当該ディスクに書き込む実行部である。
【００２４】
次に、図２に示した概念図と、図３のフローチャートを用いて、以上のように構成された本実施の形態にかかるディスク記録再生装置の一連の動作を説明する。
【００２５】
ＭＤに記録する場合は、まず、当該ディスク記録再生装置にＭＤを装填し、ＭＤの初期化を行う（Ｓ１）。ＭＤの初期化を行なったら、所望の記録形式を選択して（Ｓ２）音楽コンテンツ等の記録を実行する（Ｓ３）。このとき、第１の変調方式であるＥＦＭ変調による記録の場合、第２の変調方式である１７ＰＰ変調による記録領域が最終トラックとなるように繰り下げ（Ｓ４）、ヘッダにＥＦＭ変調によるトラック情報を登録する（Ｓ５）。
【００２６】
再生を行う場合は、所望の記録形式を選択すると、記録された情報が表示部２に表示され、通常の再生操作を行えるようになっている。例えば、高密度記録（１７ＰＰ変調）か標準記録（ＥＦＭ変調）のいずれかを選択すると、対応した曲数などの情報が表示され、順送り再生やリピート再生などの通常の再生操作が行える。
【００２７】
仮に、旧タイプのＭＤ再生装置で当該ＭＤを再生する場合、ヘッダ情報には、全トラックより１小さい数のトラック番号が最終トラック番号となっているため、ＥＦＭ変調方式で記録されたトラック情報のみが再生できる。
【００２８】
以上、本実施の形態にかかるディスク記録再生装置を説明したが、上述した実施の形態は、本発明の好適な実施の形態の一例を示すものであり、本発明はそれに限定されるものではなく、その要旨を逸脱しない範囲内において、種々変形実施が可能である。
【００２９】
例えば、本実施の形態では、パーテーション手段で、第１の変調方式であるＥＦＭ変調による記録領域と、第２の変調方式である１７ＰＰ変調による記録領域（最終トラック）とに、所望の記録領域でもって、予め分割するようにしているが、分割することなく、常に最終トラックは１７ＰＰ変調による記録領域と定義付けしても良い
【００３０】
また、上記した一連の手順に従ったディスク記録再生方法でも良い。
【図面の簡単な説明】
【００３１】
【図１】本実施の形態にかかるディスク記録再生装置の概略を示したシステム構成図である。
【図２】本実施の形態にかかるディスク記録再生装置によるＭＤへの記録状態を模式化した概念図である。
【図３】本実施の形態にかかるディスク記録再生装置によるＭＤへの記録手順を示したフローチャートである。
【符号の説明】
【００３２】
１  制御部
２  表示部
３  入力部
４  ディスク録再部
【図１】
2007026510.tif 000003
【図２】
2007026510.tif 000004
【図３】
2007026510.tif 000005